(57)【特許請求の範囲】
【請求項１】
排水管４４の周壁所定箇所に開設した筒部からなる挿通管部５１と、
レリースワイヤ４６のアウターチューブ４６１に水密的に挿通されると共に前記挿通管部５１に水密的に挿入されるブッシュ部材５２と、
レリースワイヤ４６を軸方向以外の方向から取り付け位置まで差込挿入する切り欠き溝をその側面に構成し、且つブッシュ部材５２及びレリースワイヤ４６を挿通管部５１に取り付け固定する固定部材５３と、から構成し、
該固定部材５３に取っ手５３２を構成したことを特徴とするレリースワイヤ挿通固定具。
【請求項２】
排水管４４の周壁所定箇所に開設した筒部からなる挿通管部５１と、
レリースワイヤ４６のアウターチューブ４６１に水密的に挿通されると共に前記挿通管部５１に水密的に挿入されるブッシュ部材５２と、
上記挿通管部５１に軸方向以外の方向から取り付けられると共に、ブッシュ部材５２及びレリースワイヤ４６を挿通管部５１に取り付け固定する固定部材５３と、から構成し、
前記固定部材５３を、挿通管部５１の端部とレリースワイヤ４６を共同して抱持する一対の分割体とし、該一対の分割体がヒンジ機構により互いに揺動自在に連結して形成し、前記固定部材５３の分割体同士を係合により着脱可能に連結して構成すると共に、固定部材５３の分割体を着脱自在に係合させて、固定部材５３を挿通管部５１に取り付け固定する構成としたことを特徴とするレリースワイヤ挿通固定具。
【請求項３】
排水管４４の周壁所定箇所に開設した筒部からなる挿通管部５１と、
レリースワイヤ４６のアウターチューブ４６１に水密的に挿通されると共に前記挿通管部５１に水密的に挿入されるブッシュ部材５２と、
上記挿通管部５１に弾性係合によって取り付けられると共に、ブッシュ部材５２及びレリースワイヤ４６を挿通管部５１に取り付け固定する固定部材５３と、
を設けたことを特徴とするレリースワイヤ挿通固定具。
【請求項４】
排水管４４の周壁所定箇所に開設した筒部からなる挿通管部５１と、
レリースワイヤ４６のアウターチューブ４６１に水密的に挿通されると共に前記挿通管部５１に水密的に挿入されるブッシュ部材５２と、
上記挿通管部５１に直線動作のみで取り付けられると共に、ブッシュ部材５２及びレリースワイヤ４６を挿通管部５１に取り付け固定する固定部材５３と、
を設けたことを特徴とするレリースワイヤ挿通固定具。
【請求項５】
レリースワイヤ４６を軸方向以外の方向から取り付け位置まで差込挿入する切り欠き溝を前記固定部材５３の側面に構成したことを特徴とする前記請求項３乃至請求項４のいずれか一つに記載のレリースワイヤ挿通固定具。
【請求項６】
前記固定部材５３もしくは前記挿通管部５１外周面のいずれか一方に構成された爪部５６と、
前記固定部材５３もしくは前記挿通管部５１外周面の他方に構成される、前記爪部５６が係合する係合部５７と、
を構成すると共に、
爪部５６と係合部５７を着脱自在に係合させて固定部材５３を挿通管部５１に取り付けることを特徴とする前記請求項２乃至請求項５のいずれか一つに記載のレリースワイヤ挿通固定具。
【請求項７】
前記固定部材５３もしくは前記挿通管部５１外周面のいずれか一方に構成された凸部５４と、
前記固定部材５３もしくは前記挿通管部５１外周面の他方に構成される、前記凸部５４が係合する凹部５５と、
を構成すると共に、
凸部５４と凹部５５を着脱自在に係合させて固定部材５３を挿通管部５１に取り付けることを特徴とする前記請求項２乃至請求項５のいずれか一つに記載のレリースワイヤ挿通固定具。
【請求項８】
前記固定部材５３に取っ手５３２を構成したことを特徴とする前記請求項２乃至請求項７のいずれか一つに記載のレリースワイヤ挿通固定具。
【請求項９】
前記固定部材５３の取っ手５３２の形状を、固定部材５３の軸方向視外側面より飛び出さないように構成したことを特徴とする前記請求項１又は請求項８に記載のレリースワイヤ挿通固定具。
【請求項１０】
前記固定部材５３を、硬質樹脂材から構成したことを特徴とする前記請求項１乃至請求項９のいずれか一つに記載のレリースワイヤ挿通固定具。
【発明の詳細な説明】
【技術分野】
【０００１】
本発明は、フロや洗面台の排水口に設けられる弁体を遠隔的に開閉操作する遠隔操作式排水装置におけるレリースワイヤ挿通固定具に関するものである。
【背景技術】
【０００２】
従来から、図１５に示すように、浴室や洗面台の排水口の弁体を遠隔的に開閉操作するための遠隔操作式排水栓装置がよく知られている。
本従来例では、洗面台に用いられており、当該洗面台は、収納部と、槽体と、から構成される。
収納部は、内部に洗剤やタオルなどを収納する箱体であって、全面に開閉自在な扉を備える。また当該収納部内には排水配管が配管される。
槽体は、収納部の上部に底部に排水用の排水口を開口した内部に水を貯水できる箱体であって、本従来例では洗面ボウルである。
また、遠隔操作式排水栓装置は、排水口、弁体、排水栓、排水管、排水トラップ、レリースワイヤ、操作部、ワイヤー受け、レリースワイヤ挿通固定具、から構成される。
排水口は、前記槽体の底面に構成されている排水用の開口であり、内部に弁体を備える。
弁体は、排水口を開閉する栓体であって、遠隔的に操作されて上下動し、弁体が上昇した際は排水口を開栓して槽体内の排水を下水へと排水し、弁体が下降した際には槽体の排水口が閉栓するように構成されている。
排水栓は、排水口に接続される排水用の管体であり、後記の排水管が接続される。
排水管は、前記排水口に接続される排水栓に接続される管体であって、その下端に排水トラップが接続され、槽体内の排水を排水トラップへと排水する管体である。本従来例では、排水管周壁に後述する挿通管部が構成される。
排水トラップは、Ｕ字状に屈曲した管体であって、内部に封水が貯水されるようになっている。当該排水トラップは排水トラップ内の封水により、下水からの害虫や異臭が室内側へ逆流することを防止するものである。また、トラップ上流は前記排水管に接続され、排水トラップ下流は下水管へと接続される。
レリースワイヤは、内部が中空の管体であって可撓性を有したアウターチューブ、該アウターチューブ内で進退自在に配置される金属線材から成るインナーワイヤにより構成される。該レリースワイヤのアウターチューブは、槽体裏面側の操作部から、挿通管部、排水管内部、排水栓を介して前記ワイヤー受けに接続されて排水栓中央に配置固定され、その端部は排水口に設置される弁体に当接するように配置されている。尚、インナーワイヤはアウターチューブ内を操作部の操作によって進退するように構成される。
操作部は、槽体の天面に構成される押しボタンであり、当該操作部を使用者が操作することによって、排水口の弁体が上下動し、結果的に排水口の開栓／閉栓をコントロールすることとなる。
ワイヤー受けは、排水栓の中心部にレリースワイヤを接続するために一体的に構成される架橋部材である。当該ワイヤー受けによって、レリースワイヤを排水口中心部へと配置することができ、結果的に弁体の直下位置にレリースワイヤを配置することができる。本従来例では、後記するレリースワイヤのインナーワイヤの進退を保持するロック機構をワイヤー受けに取り付け構成される。
レリースワイヤ挿通固定具は、以下のように構成される。
レリースワイヤ挿通固定具は、挿通管部、ブッシュ部材、固定部材、から構成される。
挿通管部は、前記排水管の周壁に連通して構成される枝管であって、後述するレリースワイヤが内部を挿通する構成となっている。また、挿通管部の端部外周面には雄ねじが螺設している。
ブッシュ部材は、挿通管部内に水密的に挿入されるゴム材等から成る円筒状のシール部材であって、軸方向中心部にレリースワイヤ挿入口が貫通して開口されている。また、ブッシュ部材の外周面にはリブが凸設され、挿通管部内周面に水密的に当接するように構成されている。また、ブッシュ部材の一方の端部には、外側方向へ向けて鍔状に凸出して構成されるフランジ部が構成される。
固定部材は、軸方向中心部にレリースワイヤ挿入口を開口したキャップ状部材であって、内周面に前記挿通管部の雄ねじに螺合する雌ねじを螺設している。当該固定部材は、予めブッシュ部材と固定部材をレリースワイヤ外周に挿通しておき、レリースワイヤを挿通管部内に挿通させてから、ブッシュ部材を挿通管部内に嵌め込み、ブッシュ部材のフランジ部を挿通管部の端部に当接するまで押し込む。そして固定部材の雌ねじを挿通管部の雄ねじに螺合させ、挿通管部の端部と固定部材の端部によってブッシュ部材を挟持して接続する。このように接続することで、レリースワイヤと挿通管部は水密的に接続されることとなる。
【０００３】
上記した遠隔操作式排水栓装置は以下のように作動する。弁体が下降し排水口を閉口している際に使用者が操作部を操作することによりレリースワイヤのインナーワイヤが弁体側へ進行し、弁体の下端に当接し、弁体を押し上げる。そうするとインナーワイヤが押し上げた分だけ排水口から弁体が上昇し、排水口が開栓する。そうするとワイヤー受けに設けられたロック機構が作動し、インナーワイヤの進行状態を保持する。この状態時において、排水口が開栓状態となるので、槽体内に排水が発生しても、排水トラップを介して下水管へと排水を排水することができる。
また、この状態から使用者が操作部を押動すると、ワイヤー受けのロック機構が解除され、インナーワイヤの進行が解除し、リターンスプリングの力によりインナーワイヤが元の場所、すなわち操作部側へ退行する。そうすると、インナーワイヤによって押し上げられていた排水口内の弁体が、その自重により下降し排水口を閉栓することとなる。この状態時では、排水口が閉栓されているため槽体内に排水を貯水することができる。
この操作部の押動操作により、弁体は上下動し、排水口の開栓／閉栓を遠隔的に操作することができるものである。
【０００４】
上記のように構成された遠隔操作式排水栓装置及びレリースワイヤ挿通固定具は、以下のように施工される。
予め工場等でワイヤー受けとロック機構を排水栓に組み付けておく。また、予め工場等でブッシュ部材と固定部材のそれぞれのレリースワイヤ挿入口からレリースワイヤを挿通させておく。
その後、施工現場にて、排水栓を洗面台の排水口に取り付け、挿通管部が構成された排水管に、予めレリースワイヤを挿通管部に挿通させておき、レリースワイヤをワイヤー受けのロック機構に接続する。その後、排水栓に排水管を接続する。そして、レリースワイヤに外装されたブッシュ部材を挿通管部に水密的に挿入し、ブッシュ部材のフランジ部に当接するまで差し込む。そして、固定部材を挿通管部に差し込み、固定部材の雌ねじと挿通管部の雄ねじを螺合させ締め付ける。そうすることによって、ブッシュ部材のフランジ部を挿通管部と固定部材によって狭持することができ、挿通管部から排水管内部の排水が漏れ出すことなく水密的にシールすることができる。なお、レリースワイヤ外周はブッシュ部材の挿入口内周面によって水密的にシールでき、挿通管部内周はブッシュ部材外周とフランジ部によって水密的にシールすることができる。
その後、洗面台のボウルの天面等に操作部を取り付け、挿通管部から延出されているレリースワイヤを操作部に接続する。
そして、排水管に排水トラップ及び下水管を接続し、排水口内に弁体を設置することで遠隔操作式排水栓装置とレリースワイヤ挿通固定具の施工が完了する。
【先行技術文献】
【特許文献】
【０００５】
【特許文献１】特開平６−１８００２０号公報
【発明の概要】
【発明が解決しようとする課題】
【０００６】
前記した従来例の遠隔操作式排水栓装置のレリースワイヤ挿通固定具では以下のような問題があった。
従来のレリースワイヤは、施工前に予め固定部材をレリースワイヤに挿通しておかねばならず、施工の際に邪魔であった。また、レリースワイヤには、端部に操作部や弁軸等が予め工場等で組み付けられている為、操作部や弁軸の径よりも小さいレリースワイヤ挿入口を備えた固定部材は、その操作部や弁軸が組み付けられる前に固定部材をレリースワイヤに挿入しておかねばならず、生産性が悪い上に、仮に固定部材が挿入されずに操作部等が取り付けられてしまうと不良品となってしまっていた。
また、一般的な遠隔操作式排水栓装置では、洗面台や台所であれば引き出しや収納スペース等の空間内に排水管や排水トラップが配管されているため、必然的に遠隔操作式排水栓装置もその収納スペース内に施工されている。また、浴室の浴槽に用いられる遠隔操作式排水栓装置であれば、浴槽の底面や防水パンの裏側であったり、エプロン部材の裏側の空間に施工されている。このような、浴槽や洗面台に取り付けられる遠隔操作式排水栓装置では、施工時に非常に狭くて暗い空間で施工せねばならないという問題が発生する。このような施工者にとって施工しづらい環境であれば、当然に施工ミスが発生しやすくなるという問題が発生する。
また、特にレリースワイヤ挿通固定具に関しては、前述したように、狭い浴槽裏空間や洗面台の収納スペース内において、固定部材をネジ螺合せねばならず、目視確認もままならないような暗くて狭い場所では非常に施工しにくかった。
また、施工時だけではなく、排水管のメンテナンスや遠隔操作式排水栓装置のメンテナンス時などの場合に、現場で配管を分解することがあるが、この際にネジ螺合であると、狭い空間でのねじ回し作業が非常に困難であった。
また、洗面台や台所に施工される遠隔操作式排水栓装置では、収納スペース内には当然ながら鍋や洗剤等の収納物が当然ながら存在する。そうすると、収納物がネジ部分にあたってしまってネジが緩んでしまうことがあり、漏水の原因となっていた。
また、浴槽に施工される遠隔操作式排水栓装置では、挿通管部が浴槽底面と防水パンの間に配置されることが多く、非常に狭い隙間であるが、この空間に施工者が手指を入れてねじの回転螺合をせねばならず、非常に施工しづらかった。
また、浴槽に用いられるレリースワイヤ挿通固定具においては、固定部材の形状によっては防水パンの床面に取っ手があたり、操作しづらいことがあった。
【課題を解決するための手段】
【０００７】
請求項１に記載のレリースワイヤ挿通固定具は、排水管４４の周壁所定箇所に開設した筒部からなる挿通管部５１と、レリースワイヤ４６のアウターチューブ４６１に水密的に挿通されると共に前記挿通管部５１に水密的に挿入されるブッシュ部材５２と、レリースワイヤ４６を軸方向以外の方向から取り付け位置まで差込挿入する切り欠き溝をその側面に構成し、且つブッシュ部材５２及びレリースワイヤ４６を挿通管部５１に取り付け固定する固定部材５３と、から構成し、該固定部材５３に取っ手５３２を構成したことを特徴とするレリースワイヤ挿通固定具である。
【０００８】
請求項２に記載のレリースワイヤ挿通固定具は、排水管４４の周壁所定箇所に開設した筒部からなる挿通管部５１と、レリースワイヤ４６のアウターチューブ４６１に水密的に挿通されると共に前記挿通管部５１に水密的に挿入されるブッシュ部材５２と、上記挿通管部５１に軸方向以外の方向から取り付けられると共に、ブッシュ部材５２及びレリースワイヤ４６を挿通管部５１に取り付け固定する固定部材５３と、から構成し、前記固定部材５３を、挿通管部５１の端部とレリースワイヤ４６を共同して抱持する一対の分割体とし、該一対の分割体がヒンジ機構により互いに揺動自在に連結して形成し、前記固定部材５３の分割体同士を係合により着脱可能に連結して構成すると共に、固定部材５３の分割体を着脱自在に係合させて、固定部材５３を挿通管部５１に取り付け固定する構成としたことを特徴とするレリースワイヤ挿通固定具である。
【０００９】
請求項３に記載のレリースワイヤ挿通固定具は、排水管４４の周壁所定箇所に開設した筒部からなる挿通管部５１と、レリースワイヤ４６のアウターチューブ４６１に水密的に挿通されると共に前記挿通管部５１に水密的に挿入されるブッシュ部材５２と、上記挿通管部５１に弾性係合によって取り付けられると共に、ブッシュ部材５２及びレリースワイヤ４６を挿通管部５１に取り付け固定する固定部材５３と、を設けたことを特徴とするレリースワイヤ挿通固定具である。
【００１０】
請求項４に記載のレリースワイヤ挿通固定具は、排水管４４の周壁所定箇所に開設した筒部からなる挿通管部５１と、レリースワイヤ４６のアウターチューブ４６１に水密的に挿通されると共に前記挿通管部５１に水密的に挿入されるブッシュ部材５２と、上記挿通管部５１に直線動作のみで取り付けられると共に、ブッシュ部材５２及びレリースワイヤ４６を挿通管部５１に取り付け固定する固定部材５３と、を設けたことを特徴とするレリースワイヤ挿通固定具である。
【００１１】
請求項５に記載のレリースワイヤ挿通固定具は、レリースワイヤ４６を軸方向以外の方向から取り付け位置まで差込挿入する切り欠き溝を前記固定部材５３の側面に構成したことを特徴とする前記段落０００９乃至段落００１０のいずれか一つに記載のレリースワイヤ挿通固定具である。
【００１２】
請求項６に記載のレリースワイヤ挿通固定具は、前記固定部材５３もしくは前記挿通管部５１外周面のいずれか一方に構成された爪部５６と、前記固定部材５３もしくは前記挿通管部５１外周面の他方に構成される、前記爪部５６が係合する係合部５７と、を構成すると共に、爪部５６と係合部５７を着脱自在に係合させて固定部材５３を挿通管部５１に取り付けることを特徴とする前記段落０００８乃至段落００１１のいずれか一つに記載のレリースワイヤ挿通固定具である。
【００１３】
請求項７に記載のレリースワイヤ挿通固定具は、前記固定部材５３もしくは前記挿通管部５１外周面のいずれか一方に構成された凸部５４と、前記固定部材５３もしくは前記挿通管部５１外周面の他方に構成される、前記凸部５４が係合する凹部５５と、を構成すると共に、凸部５４と凹部５５を着脱自在に係合させて固定部材５３を挿通管部５１に取り付けることを特徴とする前記段落０００８乃至段落００１１のいずれか一つに記載のレリースワイヤ挿通固定具である。
【００１４】
請求項８に記載のレリースワイヤ挿通固定具は、前記固定部材５３に取っ手５３２を構成したことを特徴とする前記段落０００８乃至段落００１３のいずれか一つに記載のレリースワイヤ挿通固定具である。
【００１５】
請求項９に記載のレリースワイヤ挿通固定具は、前記固定部材５３の取っ手５３２の形状を、固定部材５３の軸方向視外側面より飛び出さないように構成したことを特徴とする前記段落０００７又は段落００１４に記載のレリースワイヤ挿通固定具である。
【００１６】
請求項１０に記載のレリースワイヤ挿通固定具は、前記固定部材５３を、硬質樹脂材から構成したことを特徴とする前記段落０００７乃至段落００１５のいずれか一つに記載のレリースワイヤ挿通固定具である。
【発明の効果】
【００１７】
請求項１に記載の本発明は、レリースワイヤ４６を軸方向以外の方向から取り付け位置まで差込挿入する切り欠き溝５３１をその側面に構成し、且つブッシュ部材５２及びレリースワイヤ４６を挿通管部５１に取り付け固定する固定部材５３を設けたことから、レリースワイヤ４６の施工時に、固定部材５３をレリースワイヤ４６の側面方向から切り欠き溝５３１を差し込むことができ、予め工場等でレリースワイヤ４６に固定部材５３を軸方向から挿入して組み立てる必要が無くなった。また、固定部材５３に取っ手５３２を構成したことから、槽体１下の収納スペースや、防水パン裏の狭くて暗いような箇所であっても、固定部材５３を挿通管部５１へ取り付けやすくなった。
請求項２に記載の本発明は、挿通管部５１に軸方向以外の方向から取り付けられると共に、ブッシュ部材５２及びレリースワイヤ４６を挿通管部５１に取り付け固定する固定部材５３を設けたことから、固定部材５３を、槽体１下の収納スペースや、防水パン裏の狭くて暗いような箇所で施工する際にネジ螺合等の狭い空間でのねじ回し作業をする必要が無くなり、施工及びメンテナンスしやすくなった。
請求項３に記載の本発明は、挿通管部５１に回転させることなく取り付けられると共に、ブッシュ部材５２及びレリースワイヤ４６を挿通管部５１に取り付け固定する固定部材５３を設けたことから、固定部材５３を、槽体１下の収納スペースや、防水パン裏の狭くて暗いような箇所で施工する際にネジ螺合等の狭い空間でのねじ回し作業をする必要が無くなり、施工及びメンテナンスしやすくなった。
請求項４に記載の本発明は、挿通管部５１に弾性係合によって取り付けられると共に、ブッシュ部材５２及びレリースワイヤ４６を挿通管部５１に取り付け固定する固定部材５３を設けたことから、固定部材５３を、槽体１下の収納スペースや、防水パン裏の狭くて暗いような箇所で施工する際にネジ螺合等の狭い空間でのねじ回し作業をする必要が無くなり、施工及びメンテナンスしやすくなった。
請求項５に記載の本発明は、固定部材５３の側面に、レリースワイヤ４６の軸方向以外の方向から差し込むことができる切り欠き溝５３１を切り欠いて構成したことから、レリースワイヤ４６の施工時に、固定部材５３をレリースワイヤ４６の側面方向から切り欠き溝５３１を差し込むことができ、予め工場等でレリースワイヤ４６に固定部材５３を軸方向から挿入して組み立てる必要が無くなった。
請求項６に記載の本発明は、前記固定部材５３もしくは前記挿通管部５１外周面のいずれか一方に構成された爪部５６と、前記固定部材５３もしくは前記挿通管部５１外周面の他方に構成された前記爪部５６が係合する係合部５７と、を構成し、爪部５６と係合部５７を着脱自在に係合させて固定部材５３を挿通管部５１に取り付けたことから、固定部材５３を、槽体１下の収納スペースや、防水パン裏の狭くて暗いような箇所で施工する際にネジ螺合等の狭い空間でのねじ回し作業をする必要が無くなり、施工及びメンテナンスしやすくなった。
請求項７に記載の本発明は、前記固定部材５３もしくは前記挿通管部５１外周面のいずれか一方に構成された凸部５４と、前記固定部材５３もしくは前記挿通管部５１外周面の他方に構成された前記凸部５４が係合する凹部５５と、を構成し、凸部５４と凹部５５を着脱自在に係合させて固定部材５３を挿通管部５１に取り付けたことから、固定部材５３を、槽体１下の収納スペースや、防水パン裏の狭くて暗いような箇所で施工する際にネジ螺合等の狭い空間でのねじ回し作業をする必要が無くなり、施工及びメンテナンスしやすくなった。
請求項８に記載の本発明は、固定部材５３に取っ手５３２を構成したことから、槽体１下の収納スペースや、防水パン裏の狭くて暗いような箇所であっても、固定部材５３を挿通管部５１へ取り付けやすくなった。
請求項９に記載の本発明は、固定部材５３の取っ手５３２の形状を、固定部材５３の外側面より飛び出さないように構成したことから、挿通管部５１が床面や壁面に近い場所でも、取っ手５３２が壁面や床面に干渉することがないので、固定部材５３が脱落するおそれがない。
請求項１０に記載の本発明は、固定部材５３を、硬質樹脂材から構成したことから、より強固に固定部材５３と挿通管部５１を接続することが出来る。
【図面の簡単な説明】
【００１８】
【図１】実施例１の本発明品が取り付けられる洗面台の断面図である。
【図２】実施例１における本発明品の施工状態を示す断面図である。
【図３】図２における部分拡大図である。
【図４】実施例２の本発明品が取り付けられ浴室の断面図である。
【図５】実施例２における本発明品の施工状態を示す断面図である。
【図６】実施例２における本発明品の施工状態を示す部分斜視図である。
【図７】本発明の固定部材を示す一部切欠き斜視図である。（Ａ）図８（Ｄ）におけるＡ−Ａ断面図である。（Ｂ）図８（Ｄ）におけるＡ−Ｂ断面図である。（Ｃ）図８（Ｄ）におけるＢ−Ｂ断面図である。（Ｄ）斜視図である。（Ｅ）斜視図である。
【図８】本発明の固定部材を示す図である。
【図９】そのほかの実施例を示す断面図である。
【図１０】そのほかの実施例を示す断面図である。
【図１１】そのほかの実施例を示す断面図である。
【図１２】そのほかの実施例を示す断面図である。
【図１３】そのほかの実施例を示す断面図である。
【図１４】そのほかの実施例を示す断面図である。
【図１５】従来例を示す断面図である。
【発明を実施するための形態】
【実施例１】
【００１９】
第一実施例のレリースワイヤ挿通固定具５は、図１に示すように洗面台２に用いられており、当該洗面台２は、収納部２１と、槽体１と、から構成される。
収納部２１は、内部に洗剤やタオルなどを収納する箱体であって、全面に開閉自在な扉を備える。また当該収納部２１内には排水配管が配管される。
槽体１は、洗面ボウルであって、収納部２１の上部に底部に排水用の排水口４１を開口した内部に水を貯水できる箱体である。
また、遠隔操作式排水栓装置４は、図１乃至図３に示すように排水口４１、弁体４２、排水栓４３、排水管４４、排水トラップ４５、レリースワイヤ４６、操作部４７、ワイヤー受け４８、レリースワイヤ挿通固定具５、から構成される。
排水口４１は、前記槽体１の底面に構成されている排水用の開口である。後記する弁体４２を備える。
弁体４２は、排水口４１を開閉する栓体であって、遠隔的に操作されて上下動し、弁体４２が上昇した際は排水口４１を開栓して槽体１内の排水を下水へと排水し、弁体４２が下降した際には槽体１の排水口４１が閉栓するように構成されている。
排水栓４３は、排水口４１に接続される管体であって、後記する排水管４４が接続される。
排水管４４は、前記排水栓４３に接続される管体であって、その下端に排水トラップ４５が接続され、槽体１内の排水を排水トラップ４５へと排水する管体である。本実施例では、排水管４４周壁に後述する挿通管部５１が構成される。尚、排水管４４は、前記した収納スペース内に配置構成される。
排水トラップ４５は、Ｕ字状に屈曲した管体であって、内部に封水が貯水されるようになっている。当該排水トラップ４５内の封水により、下水からの害虫や異臭が室内側へ逆流することを防止するものである。また、トラップ上流は前記排水管４４に接続され、排水トラップ４５下流は下水管へと接続される。
レリースワイヤ４６は、内部が中空の管体であって可撓性を有したアウターチューブ４６１、該アウターチューブ４６１内で進退自在に配置される金属線材から成るインナーワイヤ４６２により構成される。該レリースワイヤ４６のアウターチューブ４６１は、槽体１裏面側の操作部４７から、挿通管部５１、排水管４４内部を介して前記ワイヤー受け４８に接続されて排水管４４中央に配置固定され、その端部は排水口４１に設置される弁体４２に当接するように配置されている。尚、インナーワイヤ４６２はアウターチューブ４６１内を操作部４７の操作によって進退するように構成される。
操作部４７は、槽体１の天面に構成される押しボタンであり、当該操作部４７を使用者が操作することによって、排水口４１の弁体４２が上下動し、結果的に排水口４１の開栓／閉栓をコントロールすることとなる。この操作部４７には、後述するレリースワイヤ４６のインナーワイヤ４６２の進退を保持するロック機構を構成して成る。
ワイヤー受け４８は、排水管４４の上端中心部にレリースワイヤ４６を接続するために構成される脱着自在のリング状部材である。当該ワイヤー受け４８によって、レリースワイヤ４６を排水管４４中心部へと配置することができ、結果的に弁体４２の直下位置にレリースワイヤ４６を配置することができる。
レリースワイヤ挿通固定具５は、特に図２、図３に示すが、以下のように構成される。
レリースワイヤ挿通固定具５は、挿通管部５１、ブッシュ部材５２、固定部材５３、から構成される。
挿通管部５１は、排水管４４の周壁に連通して構成される枝管であって、後述するレリースワイヤ４６が内部を挿通する構成となっている。また、挿通管部５１の端部外周面には固定部材５３の凸部５４が係合する凹部５５が刻設されている。
ブッシュ部材５２は、挿通管部５１内に水密的に挿入されるゴム材等から成る円筒状のシール部材であって、軸方向中心部にレリースワイヤ挿入口６が貫通して開口されている。また、ブッシュ部材５２の外周面にはリブが凸設され、挿通管部５１内周面に水密的に当接するように構成されている。また、ブッシュ部材５２の一方の端部には、外側方向へ向けて鍔状に凸出して構成されるフランジ部５２１が構成される。
固定部材５３は、アセタールなどの硬質樹脂から成る部材であり、軸方向中心部にレリースワイヤ挿入口６を開口したキャップ状部材であって、キャップ内周面に前記挿通管部５１の凹部５５に着脱自在に係合する凸部５４を構成している。また、固定部材５３には、天面から軸方向に向かって延出して構成される取っ手５３２が構成される。この取っ手５３２は、固定部材５３のキャップ状部分の外側面より外側方向へ飛び出さないように構成した。このように取っ手５３２を構成しているので、収納部２１内の荷物がぶつかっても先に固定部材５３の外側面にぶつかり取っ手５３２には干渉しないので固定部材５３が脱落しにくい形状になった。固定部材５３のキャップ状部分には、レリースワイヤ４６が側面方向から固定部材５３のレリースワイヤ挿入口６に差し込まれる為の切り欠き溝５３１が切り欠いて構成される。当該切り欠き溝５３１は、固定部材５３の側面視上下方向に貫通して切り溝状に切り込まれており、切り込みの深さは固定部材５３の軸方向視、中心軸まで切り込まれている。この切り欠き溝５３１により、レリースワイヤ挿入口６を構成する。
また固定部材５３の施工は、予めブッシュ部材５２をレリースワイヤ４６外周に挿通しておき、レリースワイヤ４６を挿通管部５１内に挿通させてから、ブッシュ部材５２を挿通管部５１内に嵌め込み、ブッシュ部材５２のフランジ部５２１を挿通管部５１の端部に当接するまで押し込む。そして固定部材５３の切り欠き溝５３１をレリースワイヤ４６の側面から差し込み、レリースワイヤ４６に外装する。そして、そのまま固定部材５３の取っ手５３２を操作してレリースワイヤ４６を軸として挿通管部５１に差し込み、固定部材５３の取っ手５３２を更に押し込むことによって挿通管部５１の凹部５５に固定部材５３の凸部５４を係合させる。このとき挿通管部５１の端部と固定部材５３の端部によってブッシュ部材５２を挟持して接続する。このように接続することで、レリースワイヤ４６と挿通管部５１は水密的に接続されることとなる。なお、固定部材５３がレリースワイヤ４６に差し込まれるタイミングは、予めレリースワイヤ４６に差し込んでおいても良いし、施工時にレリースワイヤ４６に差し込んでもかまわないものである。
【００２０】
上記した遠隔操作式排水栓装置４は以下のように作動する。弁体４２が下降し排水口４１を閉口している際に使用者が操作部４７を操作することによりレリースワイヤ４６のインナーワイヤ４６２が排水口４１側へ進行し、弁体４２の下端に当接し、弁体４２を押し上げる。そうするとインナーワイヤ４６２が進行した分だけ排水口４１から弁体４２が上昇し、排水口４１が開栓する。そうすると操作部４７に設けられたロック機構が作動し、インナーワイヤ４６２の進行状態を保持する。この状態時において、排水口４１が開栓状態となるので、槽体１内に排水が発生しても、排水トラップ４５を介して下水管へと排水を排水することができる。
また、この状態から使用者が操作部４７を押動すると、操作部４７のロック機構が解除され、インナーワイヤ４６２の進行が解除され、リターンスプリングの力によりインナーワイヤ４６２が元の場所すなわち操作部４７側へ退行する。そうすると、インナーワイヤ４６２によって押し上げられていた排水口内の弁体４２が、その自重により下降し排水口４１を閉栓することとなる。この状態時では、排水口４１が閉栓されているため槽体１内に排水を貯水することができる。
この操作部４７の押動操作により、弁体４２は上下動し、排水口４１の開栓／閉栓を遠隔的に操作することができるものである。
【００２１】
上記のように構成された遠隔操作式排水栓装置４及びレリースワイヤ挿通固定具５は、以下のように施工される。
予め工場等でワイヤー受け４８を排水管４４に組み付けておき、更に工場等でレリースワイヤ４６にブッシュ部材５２をレリースワイヤ挿入口６から挿通させておく。
その後、図２Ａのように施工現場にて、排水栓４３を洗面台２の排水口４１に取り付け、排水管４４に、予めレリースワイヤ４６を挿通管部５１に挿通させておき、排水栓４３下端に排水管４４を接続する。そして、図２Ｂのようにレリースワイヤ４６に外装されたブッシュ部材５２を挿通管部５１に水密的に挿入し、ブッシュ部材５２のフランジ部５２１が挿通管部５１端部に当接するまで差し込む。そして、レリースワイヤ４６の側面から固定部材５３の切り欠き溝５３１を差し込み、切り欠き溝５３１が切りこまれている固定部材５３の中心部までレリースワイヤ４６に差し込む。そうすることで、固定部材５３のレリースワイヤ挿入口６までレリースワイヤ４６は差し込まれることとなる。そして、固定部材５３を図２Ｃのようにレリースワイヤ４６を軸として取っ手５３２を操作しつつ挿通管部５１へ差し込み、固定部材５３の凸部５４と挿通管部５１の凹部５５を係合させる。そうすることによって、ブッシュ部材５２のフランジ部５２１を挿通管部５１と固定部材５３によって狭持することができ、挿通管部５１から排水管４４内部の排水が漏れ出すことなく水密的にシールすることができる。なお、レリースワイヤ４６外周はブッシュ部材５２のレリースワイヤ挿入口６内周面によって水密的にシールでき、挿通管部５１内周はブッシュ部材５２外周とフランジ部５２１によって水密的にシールすることができる。
その後、槽体１の天面等に操作部４７を取り付け、挿通管部５１から延出されているレリースワイヤ４６を操作部４７に接続する。
そして、排水管４４に排水トラップ４５及び下水管を接続し、排水口４１内に弁体４２を設置することで遠隔操作式排水栓装置４とレリースワイヤ挿通固定具５の施工が完了する。
また、メンテナンス等で遠隔操作式排水栓装置４を分解したい際は、操作部４７のレリースワイヤ４６を取り外し、その後固定部材５３の取っ手５３２をレリースワイヤ４６を軸として引っ張ることで、固定部材５３の凸部５４が挿通管部５１の凹部５５の係合が解除される。従って、収納部２１内等の狭くて暗い箇所でも簡単なワンタッチ操作によって固定部材５３を脱着することができるものである。
【実施例２】
【００２２】
第二実施例のレリースワイヤ挿通固定具５は、図４に示すように、浴室３に用いられており、当該浴室３は、槽体１と、浴槽パン３１と、洗い場パン３２と、から構成される。
槽体１は、浴槽であって、排水用の排水口４１を開口した内部に水を貯水できる箱体である。
浴槽パン３１は、浴槽を載置する防水パンであって、底部に浴槽パン３１上の排水と浴槽内の排水を下水へと排水するための排水用の開口を備え、後述するエルボ部材３３が取り付けられる。
洗い場パン３２は、浴槽パン３１の横に設置される洗い場を形成する防水パンであって、底部に洗い場パン３２上に発生した排水を下水へと排水するための排水用の開口を備え、該開口には後述する排水トラップ４５が取り付けられる。
また、遠隔操作式排水栓装置４は、排水口４１、弁体４２、排水栓４３、排水管４４、排水トラップ４５、レリースワイヤ４６、操作部４７、ワイヤー受け４８、レリースワイヤ挿通固定具５、から構成される。
排水口４１は、前記槽体１の底面に構成されている排水用の開口である。後記する弁体４２を備える。
弁体４２は、排水口４１を開閉する栓体であって、遠隔的に操作されて上下動し、弁体４２が上昇した際は排水口４１を開栓して槽体１内の排水を下水へと排水し、弁体４２が下降した際には槽体１の排水口が閉栓するように構成されている。
排水栓４３は、排水口に接続される管体であって、その下端は後記排水管４４が接続される。
排水管４４は、前記排水口４１に接続される管体であって、その下端に浴槽パン３１の開口を介してエルボ部材３３が接続されている。本実施例では排水管４４周壁に後述する挿通管部５１が構成される。尚、排水管４４は、前記した浴槽と浴槽パン３１の極小な隙間内に配置構成される。
また、エルボ部材３３は排水トラップ４５へと接続されているので、槽体１内の排水は排水管４４とエルボ部材３３を介して排水トラップ４５へと排水する。
排水トラップ４５は、洗い場パン３２に備えられる防臭筒を備えたワントラップであって、内部に封水が貯水されるようになっている。当該排水トラップ４５内の封水により、下水からの害虫や異臭が室内側へ逆流することを防止するものである。また、トラップ枝管には前記排水管４４からのエルボ部材３３が接続され、排水トラップ４５下流は下水管へと接続される。
レリースワイヤ４６は、内部が中空の管体であって可撓性を有したアウターチューブ４６１、該アウターチューブ４６１内で進退自在に配置される金属線材から成るインナーワイヤ４６２により構成される。該レリースワイヤ４６のアウターチューブ４６１は、槽体１裏面側の操作部４７から、挿通管部５１、排水管４４内部を介して前記ワイヤー受け４８に接続されて排水管４４中央に配置固定され、その端部は排水口４１に設置される弁体４２に直結して配置されている。尚、インナーワイヤ４６２はアウターチューブ４６１内を操作部４７の操作によって進退するように構成される。
操作部４７は、槽体１の天面に構成される押しボタンであり、当該操作部４７を使用者が操作することによって、排水口４１の弁体４２が上下動し、結果的に排水口４１の開栓／閉栓をコントロールすることとなる。この操作部４７には、後述するレリースワイヤ４６のインナーワイヤ４６２の進退を保持するロック機構を構成して成る。
ワイヤー受け４８は、排水栓４３の中心部にレリースワイヤ４６を接続するために構成される脱着自在のリング状部材である。当該ワイヤー受け４８によって、レリースワイヤ４６を排水管４４中心部へと配置することができ、結果的に弁体４２の直下位置にレリースワイヤ４６を配置することができる。
レリースワイヤ挿通固定具５は、図５乃至図６に示したように以下のように構成される。
レリースワイヤ挿通固定具５は、挿通管部５１、ブッシュ部材５２、固定部材５３、から構成される。
挿通管部５１は、排水管４４の周壁に連通して構成される枝管であって、後述するレリースワイヤ４６が内部を挿通する構成となっている。また、挿通管部５１の端部外周面には固定部材５３の爪部５６が係合する係合部５７が刻設されている。係合部５７は、挿通管部５１端部外周に構成されるリブであって、爪部５６が係合しやすいよう傾斜面を備えている。
ブッシュ部材５２は、挿通管部５１内に水密的に挿入されるゴム材等から成る円筒状のシール部材であって、軸方向中心部にレリースワイヤ挿入口６が貫通して開口されている。また、ブッシュ部材５２の外周面にはリブが凸設され、挿通管部５１内周面に水密的に当接するように構成されている。また、ブッシュ部材５２の一方の端部には、外側方向へ向けて鍔状に凸出して構成されるフランジ部５２１が構成される。
固定部材５３は、図７および図８に詳細に示すように、アセタールなどの硬質樹脂から成る部材であり、軸方向中心部にレリースワイヤ挿入口６を開口した円盤状の天面５３３から成り、円盤状の天面５３３から前記挿通管部５１の係合部５７に着脱自在に弾性係合する爪部５６を二本足状に垂下して構成する。又固定部材５３には、天面から軸方向上方に向かって延出して構成される取っ手５３２が構成される。この取っ手５３２は、固定部材５３の円盤状の天面５３３の上面視（軸方向視）、外側面より外側方向へ飛び出さないように構成した。このように取っ手５３２を構成しているので、狭い浴槽パン３１の空間で施工者の手や工具がぶつかっても先に固定部材５３の外側面にぶつかり取っ手５３２には干渉しないので固定部材５３が脱落しにくい形状になった。固定部材５３には、レリースワイヤ４６が側面方向から固定部材５３のレリースワイヤ挿入口６に差し込まれる為の切り欠き溝５３１が切り欠いて構成される。当該切り欠き溝５３１は、固定部材５３の側面視上下方向に貫通して切り溝状に切り込まれており、切り込みの深さは固定部材５３の軸方向視、中心軸まで切り込まれている。この切り欠き溝５３１により、レリースワイヤ挿入口６を構成する。
当該固定部材５３は、予めブッシュ部材５２をレリースワイヤ４６外周に挿通しておき、レリースワイヤ４６を挿通管部５１内に挿通させてから、ブッシュ部材５２を挿通管部５１内に嵌め込み、ブッシュ部材５２のフランジ部５２１を挿通管部５１の端部に当接するまで押し込む。そして固定部材５３の切り欠き溝５３１をレリースワイヤ４６の側面から差し込み、レリースワイヤ４６に外装する。そして、そのまま固定部材５３の取っ手５３２を操作してレリースワイヤ４６を軸として挿通管部５１に差し込み、固定部材５３の取っ手５３２を更に押し込むことによって挿通管部５１の係合部５７に固定部材５３の爪部５６を弾性係合させる。爪部５６が係合部５７に弾性係合する際は、係合部５７に構成された傾斜面により円滑に弾性係合することができる。このとき挿通管部５１の端部と固定部材５３の端部によってブッシュ部材５２を挟持して接続する。このように接続することで、レリースワイヤ４６と挿通管部５１は水密的に接続されることとなる。なお、固定部材５３がレリースワイヤ４６に差し込まれるタイミングは、予めレリースワイヤ４６に差し込んでおいても良いし、施工時にレリースワイヤ４６に差し込んでもかまわないものである。
また固定部材５３の施工は、予めブッシュ部材５２をレリースワイヤ４６外周に挿通しておき、レリースワイヤ４６を挿通管部５１内に挿通させてから、ブッシュ部材５２を挿通管部５１内に嵌め込み、ブッシュ部材５２のフランジ部５２１を挿通管部５１の端部に当接するまで押し込む。そして固定部材５３の切り欠き溝５３１をレリースワイヤ４６の側面から差し込み、レリースワイヤ４６に外装する。そして、そのまま固定部材５３の取っ手５３２を操作してレリースワイヤ４６を軸として挿通管部５１に差し込み、固定部材５３の取っ手５３２を更に押し込むことによって挿通管部５１の凹部５５に固定部材５３の凸部５４を係合させる。このとき挿通管部５１の端部と固定部材５３の端部によってブッシュ部材５２を挟持して接続する。このように接続することで、レリースワイヤ４６と挿通管部５１は水密的に接続されることとなる。なお、固定部材５３がレリースワイヤ４６に差し込まれるタイミングは、予めレリースワイヤ４６に差し込んでおいても良いし、施工時にレリースワイヤ４６に差し込んでもかまわないものである。
【００２３】
上記した遠隔操作式排水栓装置４は以下のように作動する。弁体４２が下降し排水口４１を閉口している際に使用者が操作部４７を操作することによりレリースワイヤ４６のインナーワイヤ４６２が排水口４１側へ進行し、弁体４２の下端に当接し、弁体４２を押し上げる。そうするとインナーワイヤ４６２が進行した分だけ排水口４１から弁体４２が上昇し、排水口４１が開栓する。そうすると操作部４７に設けられたロック機構が作動し、インナーワイヤ４６２の進行状態を保持する。この状態時において、排水口４１が開栓状態となるので、槽体１内に排水が発生しても、排水トラップ４５を介して下水管へと排水を排水することができる。
また、この状態から使用者が操作部４７を押動すると、操作部４７のロック機構が解除され、インナーワイヤ４６２の進行が解除され、リターンスプリングの力によりインナーワイヤ４６２が元の場所すなわち操作部４７側へ退行する。そうすると、インナーワイヤ４６２によって押し上げられていた排水口４１内の弁体４２が、インナーワイヤ４６２の退行に併せて下降し排水口４１を閉栓することとなる。この状態時では、排水口４１が閉栓されているため槽体１内に排水を貯水することができる。
この操作部４７の押動操作により、弁体４２は上下動し、排水口４１の開栓／閉栓を遠隔的に操作することができるものである。
【００２４】
上記のように構成された遠隔操作式排水栓装置４及びレリースワイヤ挿通固定具５は、以下のように施工される。
エルボ部材３３及び排水トラップ４５を配管終了した浴槽パン３１及び洗い場パン３２を浴室３に設置する。その後、施工現場において浴槽の排水口４１に排水栓４３と排水管４４を接続し、図６Ａのように予めブッシュ部材５２のレリースワイヤ挿入口６からブッシュ部材５２をレリースワイヤ４６に挿入外装しておいたレリースワイヤ４６を挿通管部５１から挿入し、浴槽上の排水口４１からレリースワイヤ４６をペンチなどで引き上げ、ワイヤー受け４８に接続し、ワイヤー受け４８ごと排水栓４３に取り付ける。その後、レリースワイヤ４６に外装されたブッシュ部材５２を図６Ｂのように挿通管部５１に水密的に挿入し、ブッシュ部材５２のフランジ部５２１が挿通管部５１端部に当接するまで差し込む。そして、図６Ｂのようにレリースワイヤ４６の側面から固定部材５３の切り欠き溝５３１を差し込み、切り欠き溝５３１が切りこまれている固定部材５３の中心部までレリースワイヤ４６に差し込む。そうすることで、固定部材５３のレリースワイヤ挿入口６までレリースワイヤ４６は差し込まれることとなる。そして、図６Ｃのように固定部材５３をレリースワイヤ４６を軸として取っ手５３２を操作しつつ挿通管部５１へ差し込み、固定部材５３の爪部５６と挿通管部５１の係合部５７を弾性係合させる。そうすることによって、ブッシュ部材５２のフランジ部５２１を挿通管部５１と固定部材５３によって狭持することができ、挿通管部５１から排水管４４内部の排水が漏れ出すことなく水密的にシールすることができる。なお、レリースワイヤ４６外周はブッシュ部材５２のレリースワイヤ挿入口６内周面によって水密的にシールでき、挿通管部５１内周はブッシュ部材５２外周とフランジ部５２１によって水密的にシールすることができる。
その後、挿通管部５１から延出されるレリースワイヤ４６を操作部４７に取り付け、レリースワイヤ挿通固定具５の取付は終了する。
そして、浴槽の排水口４１が浴槽パン３１の排水用の開口の直上となるように載置し、浴槽パン３１と洗い場パン３２の境界にエプロンを取りつけ、施工は完了する。
また、メンテナンス等で遠隔操作式排水栓装置４を分解したい際は、エプロンを取り外してから、操作部４７のレリースワイヤ４６を取り外し、その後固定部材５３の取っ手５３２をレリースワイヤ４６を軸として引っ張ることで、固定部材５３の爪部５６が挿通管部５１の係合部５７の弾性係合が解除される。従って、浴槽パン３１内の、特に浴槽底部と浴槽パン３１の狭くて暗い箇所でも施工者の簡単なワンタッチ操作によって固定部材５３を脱着することができ、メンテナンスが非常に楽となる。
【００２５】
前記した実施例では、使用者の押動操作のみで排水口４１の弁体４２が開栓／閉栓するワンウエイ式ポップアップが取り付けられているが、この実施例に限定されるものではなく、例えば、ロック機構を設けずに、使用者の押し引き操作によって排水口４１の弁体４２が開栓／閉栓する、ツーウェイ式のポップアップを使用してもかまわない。
また、前記実施例では排水口４１に排水栓４３を接続し、その下端に挿通管部５１が構成された排水管４４が接続されているが、この実施例に限定されるものではなく、例えば、排水栓４３と排水管４４を一体的に構成してもかまわない。
また、前記した実施例の他に、例えば図９示したように浴室３に用いられるレリースワイヤ挿通固定具５において、排水管４４の構成をエルボ状に構成してもかまわない。このとき、挿通管部５１が床面に接していても、取っ手５３２の形状が固定部材５３の軸方向視外周面より飛び出して形成されないので、防水パンなどの載置面ラインに取っ手５３２が干渉することがないので、誤干渉等で脱落してしまうおそれがない。
また、前記した実施例の他に、例えば図１０に示したように、固定部材５３の取付を軸方向以外から取り付けるようにしてもかまわない。この取付は、固定部材５３を、挿通管部５１の端部とレリースワイヤ４６を共同して抱持する一対の分割体とし、該一対の分割体がヒンジ機構により互いに揺動自在に連結して形成し、前記固定部材５３の分割体同士を係合により着脱可能に連結して構成すると共に、固定部材５３の分割体を着脱自在に係合させて、固定部材５３を挿通管部５１に取り付けるレリースワイヤ挿通固定具５である。
また、このほかにも図１１に示すように、挿通管端部及びレリースワイヤ４６の（軸方向に対し）側面方向から固定部材５３の切り欠き溝５３１を差し込むようにしてもよい。尚、この差し込み時には、挿通管部５１の端部及びブッシュ部材５２、レリースワイヤ４６を同時に抱持するようにして取り付けることとなる。このとき、直線動作のみの動作で固定部材５３は挿通管部５１に取り付けられる。
また、このほかにも図１２に示すように、固定部材５３をＣ字リングとし、挿通管部５１の途中位置に切り欠いて構成された係合部５７に、Ｃ字リングである固定部材５３を軸方向以外の方向である側面方向から差し込むように取り付けてもかまわない。この時の固定部材５３による固定は、Ｃ字リングの弾性による係合が利用される事となる。このとき、直線動作のみの動作で固定部材５３挿通管部５１に取り付けられる。
また、このほかにも、固定部材５３をクイックファスナーとし、挿通管部５１の端部とレリースワイヤ４６の外周面に凸出させた鍔とを狭持するように、固定部材５３を軸方向以外の側面方向から差し込むように取り付けてもかまわない。この時の固定部材５３による固定は、クイックファスナーの弾性による係合が利用される事となる。このとき、直線動作のみの動作で固定部材５３は挿通管部５１に取り付けられる。
また、前記した実施例の他に、例えば図１３に示したように、ピンチ状の取っ手５３２を構成し、当該取っ手５３２の先端を爪部５６とし、弾性係合時及び弾性係合解除時には取っ手５３２部分を手でつかんで爪部５６を開き、係合部５７に弾性係合／弾性係合の解除をすることができるような形状としてもかまわない。
また、前記実施例の他、図９に示すように挿通管部５１に凸部５４、固定部材５３に凹部５５を構成しても良い。
また、前記実施例の他、挿通管部５１に爪部５６、固定部材５３に係合部５７を構成してもかまわない。
また、前記実施例の他、図１４に示すように、固定部材５３と挿通管部５１の接続をネジ螺合としても、切り欠き溝５３１を固定部材５３の側面に切り欠き溝５３１を構成してもかまわない。この場合においては、レリースワイヤ４６への取り付けが現場施工時に組み付けられるので、工場生産性が向上するし、更に現場でレリースワイヤ４６に固定部材５３が挿入されていないので邪魔に成らず施工しやすくなった。
また、取っ手５３２の構成は上記実施例に限定されるものではなく、例えば、固定部材５３側面から側面方向へ延出するような取っ手５３２の構成でもかまわない。
また、前記ブッシュ部材５２と固定部材５３は別構成として構成しているが、両者を一体的に構成してもかまわない。この場合においては、固定部材５３にブッシュ部材５２としてのシール部材をインサート成形したり、固定部材５３とブッシュ部材５２を一体的にゴムなどの軟質部材で形成してもかまわない。
【符号の説明】
【００２６】
１      槽体
２      洗面台
２１    収納部
３      浴室
３１    浴槽パン
３２    洗い場パン
３３    エルボ部材
４      遠隔操作式排水栓装置
４１    排水口
４２    弁体
４３    排水栓
４４    排水管
４５    排水トラップ
４６    レリースワイヤ
４６１  アウターチューブ
４６２  インナーワイヤ
４７    操作部
４８    ワイヤー受け
５      レリースワイヤ挿通固定具
５１    挿通管部
５２    ブッシュ部材
５２１  フランジ部
５３    固定部材
５３１  切り欠き溝
５３２  取っ手
５３３  円盤状の天面
５４    凸部
５５    凹部
５６    爪部
５７    係合部
６      レリースワイヤ挿入口
【図１】
0006023927.tif 000002
【図２】
0006023927.tif 000003
【図３】
0006023927.tif 000004
【図４】
0006023927.tif 000005
【図５】
0006023927.tif 000006
【図６】
0006023927.tif 000007
【図７】
0006023927.tif 000008
【図８】
0006023927.tif 000009
【図９】
0006023927.tif 000010
【図１０】
0006023927.tif 000011
【図１１】
0006023927.tif 000012
【図１２】
0006023927.tif 000013
【図１３】
0006023927.tif 000014
【図１４】
0006023927.tif 000015
【図１５】
0006023927.tif 000016